(57)【要約】【課題】  スピーカの再生音による音響効果を得ることができ、スピーカの汚損等を回避することができるようにすること。【解決手段】  前後方向に出し入れ可能な下引き出し２０と、この下引き出し２０を収容するキャビネット本体１１と、このキャビネット本体１１の内部に位置するとともに、下引き出し２０の後方に隣接する位置に設けられたスピーカ４８とを備えてキッチン１０が構成されている。下引き出し２０は、内部に収納スペースＡを有する引き出し本体２７と、この引き出し本体２７の前端側に連設された前部材２８とを備えている。前部材２８には開口部４３が形成されている一方、引き出し本体２７の後部材３２には補助開口部３６が形成されている。スピーカ４８の再生音は、補助開口部３６、収納スペースＡ、開口部４３を通過する。【選択図】      図２
2006068346.tif 000002
【特許請求の範囲】
【請求項１】
前後方向に出し入れ可能な引き出しと、この引き出しを収容する家具本体と、この家具本体内であって引き出しに隣接する位置に設けられたスピーカとを備え、
前記引き出しは、内部に収納スペースを有する引き出し本体と、この引き出し本体の前端側に設けられた前部材とを含み、
前記前部材には、スピーカからの再生音を通過させる開口部が設けられていることを特徴とする作業台。
【請求項２】
前記引き出し本体には、スピーカからの再生音を収納スペース内に通過させる補助開口部が設けられていることを特徴とする請求項１記載の作業台。
【請求項３】
前記前部材は、前記開口部を備えた下部形成体と、この下部形成体の上部に連設されて前方に突出する段部と、この段部の前部側から上方に延びる上部形成体とを備えたことを特徴とする請求項１又は２記載の作業台。
【請求項４】
前記下部形成体は、引き出し本体の底部より下方に位置する領域を備えたことを特徴とする請求項３記載の作業台。
【請求項５】
前記引き出し本体の底部には、前記開口部に連通する通路が設けられていることを特徴とする請求項１ないし４の何れかに記載の作業台。
【発明の詳細な説明】
【技術分野】
【０００１】
本発明は、キッチン等の作業台に係り、更に詳しくは、音響効果を得ることができる作業台に関する。
【背景技術】
【０００２】
従来より、例えば、図８に示されるように、上面側で所定作業を行えるカウンター８１と、このカウンター８１を下側から支持するキャビネット８２と、このキャビネット８２の正面側に表出する位置に組み込まれたスピーカ８３を含む音響設備８４とを備えたキッチン８６が知られている（特許文献１の第５図参照）。このような構成によれば、キッチン８６を用いた調理等の作業中に、前記音響設備８４により音楽等を聞くことが可能となる。
【０００３】
【特許文献１】特開昭６１−２０３９０７号公報
【発明の開示】
【発明が解決しようとする課題】
【０００４】
しかしながら、前記キッチン８６にあっては、調理時の油や湯水の使用により飛散する水分や油分等がスピーカ８３等に付着し易くなる。これにより、メンテナンスの手間が多大になるばかりでなく、スピーカ８３の耐久性が損なわれるという不都合を招来する。
【０００５】
［発明の目的］
本発明は、このような不都合に着目して案出されたものであり、その目的は、音響効果を得ることができ、スピーカの汚損等を回避することができる作業台を提供することにある。
【課題を解決するための手段】
【０００６】
前記目的を達成するため、本発明は、前後方向に出し入れ可能な引き出しと、この引き出しを収容する家具本体と、この家具本体内であって引き出しに隣接する位置に設けられたスピーカとを備え、
前記引き出しは、内部に収納スペースを有する引き出し本体と、この引き出し本体の前端側に設けられた前部材とを含み、
前記前部材には、スピーカからの再生音を通過させる開口部が設けられる、という構成を採っている。
【０００７】
本発明において、前記引き出し本体には、スピーカからの再生音を収納スペース内に通過させる補助開口部が設けられる、という構成を採ることが好ましい。
【０００８】
また、前部材は、前記開口部を備えた下部形成体と、この下部形成体の上部に連設されて前方に突出する段部と、この段部の前部側から上方に延びる上部形成体とを備える、という構成を採用することができる。
【０００９】
更に、前記下部形成体は、引き出し本体の底部より下方に位置する領域を備える、という構成も好ましくは採用される。
【００１０】
また、前記引き出し本体の底部には、前記開口部に連通する通路が設けられる、という構成を採用してもよい。
【発明の効果】
【００１１】
本発明によれば、家具本体によってスピーカを隠蔽して当該スピーカに汚れ等が付着することを防止することが可能となる。特に、作業台をキッチンに適用した場合、調理作業等による水分や油分等によってスピーカが汚損することを回避でき、スピーカの耐久性を安定して保つことが可能となる。しかも、開口部を通じて引き出しの前方から再生音を流すことができるので、上下に複数段の引き出しを配置した場合、音が流れ出る位置を種々の高さに設定することが可能となる。
【００１２】
また、引き出し本体に補助開口部を設けたので、補助開口部、収納スペース、開口部の順にスピーカの再生音を通過させて家具本体の外部に流すことができる。これにより、例えば、補助開口部を引き出し本体の後部に設ければ、デッドスペースとなり易い引き出し本体の後方にスピーカを配置でき、家具本体内のスペースを有効利用することが可能となる。
【００１３】
更に、段部を備えた形状により前部材を形成したので、引き出しを最下段に配置した場合であっても、前部材に蹴込み機能を付与しつつ、スピーカからの音を流すことが可能となる。
【００１４】
また、下部形成体に引き出し本体の底部より下方に位置する領域を設けた場合には、設置面や家具本体の底部材と、引き出し本体の底部との間の隙間を通じて再生音を流すことができる。
【００１５】
更に、引き出し本体の底部に通路を設けた場合には、引き出し本体における再生音の流れを良好に確保することができる。
【００１６】
なお、本明細書及び特許請求の範囲において、「作業台」とは、キッチン、収納キャビネット、テーブル、作業テーブル、洗面台等を含む概念を意味する。
また、「前」、「後」、「上」、「下」、「左」、「右」等の位置若しくは方向を示す用語は、特に明記しない限り、図１中矢印Ａ方向に見た場合を基準とする。
【発明を実施するための最良の形態】
【００１７】
以下、本発明の好ましい実施の形態について図面を参照しながら説明する。
【００１８】
［第１実施形態］
図１には、第１実施形態に係るキッチンの概略斜視図が示され、図２には、図１のＢ−Ｂ線に沿う拡大断面図が示されている。これらの図において、作業台としてのキッチン１０は、設置面Ｆ上に配置された家具本体としてのキャビネット本体１１と、このキャビネット本体１１の上部に設けられるとともに、水栓装置１２やシンク１３を有する略長方形状のカウンター１４と、キャビネット本体１１の面内でカウンター１４との間に配置されたコンロ１５とを備えて構成されている。
【００１９】
前記キャビネット本体１１は、コンロ１５の領域を支持する前部キャビネット１７と、当該前部キャビネット１７の後方に位置する後部キャビネット１８と、これらのキャビネット１７，１８の左側に配置されるとともに、複数の収納区分を形成する収納キャビネット１９等の複数のキャビネットにより構成されている。
【００２０】
前記前部キャビネット１７には、上下に並んで配置された下引き出し２０及び上引き出し２１が収容されている。前部キャビネット１７は、各引き出し２０，２１の左右両側に位置する側板２２，２２と、各側板２２，２２の後部間に位置する背板２４及び下部間に位置する底板２５とを備えて構成されている。背板２４には、下引き出し２０の後述する後部材３２と相対する領域に穴２４Ａが設けられている。
【００２１】
前記下引き出し２０は、前記設置面Ｆに隣接する位置で出し入れ可能に設けられている。下引き出し２０は、内部に収納スペースＡを有する引き出し本体２７と、この引き出し本体２７の前端側に連設された前部材２８とを備えて構成されている。
【００２２】
前記引き出し本体２７は、前部材２８の後面側より後方に延びる板状をなす左右一対の側部材３１，３１と、各側部材３１，３１の後端間に位置する後部材３２と、側部材３１，３１及び後部材３２の下端間に位置する底部材３３とを備えて上部開放型に構成されている。各側部材３１，３１の外面側と側板２２，２２との間には、前後方向に延びるレール部材３５，３５が設けられ、当該レール部材３５，３５を介して下引き出し２０が前後方向に出し入れ可能となっている。また、後部材３２は、枠状に形成されて内側に補助開口部３６を備え、この補助開口部３６の内部にカバー３７が設けられている。カバー３７は、メッシュ状や網状の通気性を有する素材が用いられ、後述するスピーカ４８から再生された音の通過を許容するようになっている。
【００２３】
前記前部材２８は、縦断面視したときに、略クランク状に形成されている。具体的には、前部材２８は、前記底部材３３の前端側に連設された下部形成体３９と、この下部形成体３９の上部に連設されて前方に突出する段部４０と、この段部４０の前端側から上方に延びる上部形成体４１とを備えて構成されている。下部形成体３９の前面と段部４０との間の空間は、蹴込み空間Ｓとして形成される。上部形成体４１は、内側に開口部４３を有する横長の枠状をなし、開口部４３の内側には、前述のカバー３７と同素材からなるカバー４４が設けられている。
【００２４】
前記上引き出し２１は、下引き出し２０に対し、高さ寸法を大きくするとともに、前部材２８及び後部材３２を鉛直方向に沿う板状とした点以外は、略同一の構造が採用されており、ここでは、同一符号を付して説明を省略する。
【００２５】
前記後部キャビネット１８は、設置面Ｆに沿って位置する底壁体４６と、この底壁体４６の外周側から立設する複数の周壁体４７とを含み、内部に略閉塞された空間を備えて構成されている。各周壁体４７のうち、前記背板２４に相対する周壁体４７には、前記２４Ａに連通する穴４７Ａが設けられている。ここで、後部キャビネット１８の内部であって下引き出し２０の後方（図２中右方）に隣接する位置には、スピーカ４８が設けられている。
【００２６】
前記スピーカ４８は、底壁体４６に設置されるとともに、前方すなわち各穴２４Ａ，４７Ａに向かって音を再生可能に設けられている。スピーカ４８は、後部キャビネット１８及びカウンター１４によって、常時は、キャビネット本体１１の外側から隠蔽された位置に配置される。また、スピーカ４８は、図示しない接続コードを介して各種チューナ、プレーヤ、アンプ等からなる音響機器に接続されている。当該音響機器は、他の収納キャビネット１９に収納したり、キッチン１０とは異なる場所、例えば、ダイニングルームやリビングルームに設置してもよい。更に、音響機器の操作は、当該音響機器に接続されて所定の壁面等に取り付けられる操作盤や、無線タイプのリモコン等を介して行うことが例示できる。
【００２７】
前記コンロ１５は、前方に操作部５０を備え、この操作部の左右両側に隣接する位置に、一対のサイド引き出し５１，５１が設けられている。
【００２８】
以上の構成において、スピーカ４８から音を再生すると、その再生音は、図２の一点鎖線で示されるように、周壁体４７の穴４７Ａ、背板２４の穴２４Ａ、下引き出し２０の補助開口部３６、収納スペースＡ、開口部４３の順に通過してキャビネット本体１１の外側に流れる。
【００２９】
従って、このような第１実施形態によれば、下引き出し２０の後方に位置するスピーカ４８から再生される音を、引き出し本体２７及び前部材２８を通過させてキャビネット本体１１の外部に流すことができる。また、スピーカ４８が後部キャビネット１８内に隠蔽することができ、調理作業時の油分等によってスピーカ４８が汚れることを回避することが可能となる。
【００３０】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００３１】
［第２実施形態］
図３には、本発明の第２実施形態に係るキッチン１０が示されている。この第２実施形態は、前部材２８の下部形成体３９よりスピーカ４８の再生音を流すようにしたものである。下部形成体３９は、第１実施形態の上部形成体４１と同様に、枠状に形成されて内部に開口部５４を備えている。この開口部５４には、前述のカバー４４と同素材からなるカバー５５が設けられている。なお、第２実施形態において、上部形成体４１及び後部材３２は、前述の開口部３６，４３を有しない板状に形成されている。
【００３２】
従って、このような第２実施形態によれば、図３の一点鎖線で示されるように、スピーカ４８の再生音が、前部キャビネット１７の底板２５と引き出し本体２７の底部材３３との間を通過した後、下部形成体３９の開口部５４から流れ出ることとなる。これにより、引き出し本体２７の収納スペースＡにおける収納物の影響を受けることなく、再生音をキャビネット本体１１の外部に流すことが可能となる。
【００３３】
［第３実施形態］
図４には、本発明の第３実施形態に係るキッチン１０が示されている。この第３実施形態は、引き出し本体２７の底部に設けられた通路５７を介して再生音を流すものである。
第３実施形態において、引き出し本体２７の底部材３３は、前記通路５７を形成するように二重底に形成されている。一方、下部形成体３９は、上下に二つの開口部５８，５９を備えており、上方の開口部５８は通路５７の前側に連通している。
【００３４】
従って、このような第３実施形態によれば、図４の一点鎖線で示されるように、スピーカ４８の再生音が、底板２５及び底部材３３の間だけでなく通路５７内も通過させることができる。これにより、スピーカ４８からの再生音がキャビネット本体１１の外部に向かってより流れ易くなる。
【００３５】
［第４実施形態］
図５には、本発明の第４実施形態に係るキッチン１０が示されている。この第４実施形態は、第１実施形態に対してスピーカ４８の設置位置を変えたものである。すなわち、スピーカ４８は、下引き出し２０における後部材３２と相対する背板２４の領域に取り付けられている。
このような第４実施形態によれば、第１の実施形態に対し、穴２４Ａ，４７Ａを省略して各キャビネット１７，１８の構造を簡略にすることができる。しかも、デッドスペースとなり易い後部材３２と背板２４との間の領域を利用してスピーカ４８を配置でき、後部キャビネット１８内の空間を広く確保することも可能となる。
【００３６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３７】
例えば、前記各実施形態では、下引き出し２０の前部材２８に開口部４３，５４，５８，５９を設けた場合を説明したが、上引き出し２１やサイド引き出し５１、他の収納キャビネット１９の引き出し等の前部材２８に開口部４３，５４，５８，５９を設けて再生音を流してもよい。これによれば、種々の高さ位置から再生音を流すことができ、より良い音響効果を奏するように調整可能となる。
【００３８】
また、前記開口部４３，５４，５８，５９及び補助開口部３６は、図示構成例に限られず、例えば、板状の前部材２８の面内に複数の穴を設けた構成としてもよい。
【００３９】
更に、引き出しは、種々の設計変更が可能であり、例えば、図６及び図７に示される構成としてもよい。同図において、引き出し本体２７の収納スペースＡ内における左右両側に通路６１，６１がそれぞれ設けられている。当該通路６１，６１は、前後方向（図６中左右方向）に延び、前部が前部材２８に形成された開口部６２に連通する一方、後部が後部材３２に形成された補助開口部６３に連通する。各開口部６２，６３にはカバー６５が設けられている。このような構成によっても、前記各実施形態と同様に、スピーカ４８の再生音を前部材２８の前方に流すことが可能となる。
【００４０】
また、スピーカ４８の設置位置は、種々の変更が可能であり、例えば、引き出し本体２７における側部材３１，３１の側方に隣接する位置に設けてもよい。要するに、本発明は、スピーカ４８がキャビネット本体１１内に位置し、その再生音が開口部４３，５４，５８，５９を通過するようにすれば足りる。
【００４１】
更に、本発明は、キッチン１０に限られず、机や洗面台等の引き出しを有する種々の作業台に適用することができる。
【図面の簡単な説明】
【００４２】
【図１】第１実施形態に係るキッチンの概略斜視図。
【図２】図１のＢ−Ｂ線に沿う拡大断面図。
【図３】第２実施形態に係るキッチンの図２と同様の断面図。
【図４】第３実施形態に係るキッチンの図２と同様の断面図。
【図５】第４実施形態に係るキッチンの図２と同様の断面図。
【図６】変形例に係る引き出しの縦断面図。
【図７】図６のＣ−Ｃ線に沿う断面図。
【図８】従来例に係るキッチンの正面図。
【符号の説明】
【００４３】
１０・・・キッチン（作業台）、１１・・・キャビネット本体（家具本体）、２０・・・下引き出し、２７・・・引き出し本体、２８・・・前部材、３６・・・補助開口部、３９・・・下部形成体、４０・・・段部、４１・・・上部形成体、４３・・・開口部、４８・・・スピーカ、５４・・・開口部、５７・・・通路、Ａ・・・収納スペース
【図１】
2006068346.tif 000003
【図２】
2006068346.tif 000004
【図３】
2006068346.tif 000005
【図４】
2006068346.tif 000006
【図５】
2006068346.tif 000007
【図６】
2006068346.tif 000008
【図７】
2006068346.tif 000009
【図８】
2006068346.tif 000010